(57)【要約】【課題】テンプルとメガネフレーム本体との間に摩擦が生じ、耳障りな音を発したり塗装が剥がれたりすることを効果的に防ぐメガネフレーム構造を提供する。【解決手段】メガネフレーム構造は、メガネフレーム本体１、軟質カバー３及びテンプル２を備える。メガネフレーム本体１は、側辺に設けられた接合部１２１と、接合部１２１に設けられた嵌合溝１２２とを有する。軟質カバー３の端部には、メガネフレーム本体１の接合部１２１が挿入される槽部３１が設けられる。テンプル２のメガネフレーム本体１に接続される端部には、第１の挟持片２１及び第２の挟持片２２が設けられる。第１の挟持片２１は、軟質カバー３の一方の側面に当接され、接合部１２１の嵌合溝１２２に嵌設される屈曲部２１１と、嵌合溝１２２の溝縁に係止される係止部２１２とを有する。第２の挟持片２２は、軟質カバー３の他方の側面に当接される。【選択図】図１
0003175921.tif 000002
【実用新案登録請求の範囲】
【請求項１】
メガネフレーム本体、軟質カバー及びテンプルを備えたメガネフレーム構造であって、
前記メガネフレーム本体は、側辺に設けられた接合部と、前記接合部に設けられた嵌合溝と、を有し、
前記軟質カバーの端部には、前記メガネフレーム本体の前記接合部が挿入される槽部が設けられ、
前記テンプルの前記メガネフレーム本体に接続される端部には、第１の挟持片及び第２の挟持片が設けられ、前記第１の挟持片は、前記軟質カバーの一方の側面に当接され、前記接合部の前記嵌合溝に嵌設される屈曲部と、前記嵌合溝の溝縁に係止される係止部と、を有し、前記第２の挟持片は、前記軟質カバーの他方の側面に当接されることを特徴とするメガネフレーム構造。
【請求項２】
前記軟質カバーの側面には、前記テンプルの前記第２の挟持片が当接される凹部が設けられることを特徴とする請求項１に記載のメガネフレーム構造。
【請求項３】
前記軟質カバーの前縁は、前記接合部の前記嵌合溝の部分に位置することを特徴とする請求項２に記載のメガネフレーム構造。
【考案の詳細な説明】
【技術分野】
【０００１】
本考案は、メガネフレーム構造に関し、特に、メガネフレーム本体とテンプルとの間に軟質カバーを配置することにより、テンプルを開閉する際、摩擦により耳障りな音を発したり塗装が剥がれたりすることを防ぐメガネフレーム構造に関する。
【背景技術】
【０００２】
テレビ、コンピュータなどが広く普及してきたことにより、近視になる人の割合が増加している。また、屋外で活動する際、太陽の紫外線により目が傷つくことを防ぐためにサングラスをかけるなど、メガネは現代人の生活必需品となっている。現在、市販されているメガネフレームは、メガネフレーム本体とテンプルとが螺着部材により枢着されているものが多い。しかし、螺着部材はサイズが小さいため、固定する際、慎重に取り扱う必要があり、組み立てにくい。また、外れると簡単に紛失するという問題も有するため、使用上、非常に不便である。
【０００３】
上述した問題を受けて、本出願人は新しいメガネフレーム構造を案出した。特許文献１の「メガネフレーム構造」を参照する。特許文献１の「メガネフレーム構造」は、可撓性を有する材料からなるメガネフレーム本体及びテンプルを有する。メガネフレーム本体は、枠部の外側に設けられた接合部と、接合部の上下両端に設けられた嵌合孔とを有する。メガネフレーム本体の接合部は、テンプルの第１の挟持片と第２の挟持片との間に挟持されている。第１の挟持片に設けられた係止部は、メガネフレーム本体の接合部に設けられた嵌合孔と、メガネフレーム本体の接合部に設けられた嵌合孔に対応するように、挟持部材に設けられた嵌合孔とに係止されている。このような係止方式によりメガネフレーム本体にテンプルを接続させることにより、ハンドツール及び螺着部材を用いなくても、メガネフレームを簡単に組み立てたりメンテナンスしたりすることができる。
【０００４】
本出願人が案出した特許文献１では、メガネフレーム本体とテンプルとが、金属材料からなる硬質の挟持部材により組み合わされている。使用する際、テンプルを開閉すると、テンプルが硬質の挟持部材上で摺動するため、摩擦が生じて耳障りな音を発したり塗装が容易に剥がれたりする。これにより、メガネフレームの見ためが損なわれ、市場占有率に悪影響を及ぼしたりする。
【０００５】
本出願人は、特許文献１のメガネフレーム構造を実際に使用する際の欠点に鑑み、改良を加えて本考案を案出した。
【先行技術文献】
【特許文献】
【０００６】
【特許文献１】台湾実用新案登録第３９２３６３号公報
【考案の概要】
【考案が解決しようとする課題】
【０００７】
本考案の目的は、テンプルとメガネフレーム本体との間に摩擦が生じ、耳障りな音を発したり塗装が剥がれたりすることを効果的に防ぐメガネフレーム構造を提供することにある。
【課題を解決するための手段】
【０００８】
上記課題を解決するために、本考案の第１の形態によれば、メガネフレーム本体、軟質カバー及びテンプルを備えたメガネフレーム構造であって、前記メガネフレーム本体は、側辺に設けられた接合部と、前記接合部に設けられた嵌合溝と、を有し、前記軟質カバーの端部には、前記メガネフレーム本体の前記接合部が挿入される槽部が設けられ、前記テンプルの前記メガネフレーム本体に接続される端部には、第１の挟持片及び第２の挟持片が設けられ、前記第１の挟持片は、前記軟質カバーの一方の側面に当接され、前記接合部の前記嵌合溝に嵌設される屈曲部と、前記嵌合溝の溝縁に係止される係止部と、を有し、前記第２の挟持片は、前記軟質カバーの他方の側面に当接されることを特徴とするメガネフレーム構造が提供される。
【０００９】
前記軟質カバーの側面には、前記テンプルの前記第２の挟持片が当接される凹部が設けられることが好ましい。
【００１０】
前記軟質カバーの前縁は、前記接合部の前記嵌合溝の部分に位置することが好ましい。
【考案の効果】
【００１１】
本考案のメガネフレーム構造は、メガネフレーム本体とテンプルとの間に配置された軟質カバーをクッションとして用いることにより、テンプルを開閉する際、摩擦により耳障りな音を発したり塗装が剥がれたりすることを防いで使用性を向上させ、市場占有率及び市場競争力を高めることができる。
【図面の簡単な説明】
【００１２】
【図１】本考案の一実施形態に係るメガネフレーム構造を示す分解斜視図である。
【図２】本考案の一実施形態に係るメガネフレーム構造の軟質カバーを示す斜視図である。
【図３】本考案の一実施形態に係るメガネフレーム構造を示す斜視図である。
【図４】本考案の一実施形態に係るメガネフレーム構造を示す部分拡大図である。
【図５】本考案の一実施形態に係るメガネフレーム構造を使用するときの状態を示す斜視図である。
【図６】本考案の一実施形態に係るメガネフレーム構造を使用するときの状態を示す部分拡大図である。
【考案を実施するための形態】
【００１３】
図１及び図２を参照する。図１及び図２に示すように、本考案の一実施形態に係るメガネフレーム構造は、少なくともメガネフレーム本体１、テンプル２及び軟質カバー３から構成される。
【００１４】
メガネフレーム本体１は、レンズ組立孔１３を画成する上枠部１１及び下枠部１２を有する。上枠部１１及び下枠部１２の側辺は、スリット１４により上下に分割されている。上枠部１１は、スリット１４の位置に、接合部１１１が設けられ、接合部１１１の上端縁に、嵌合溝１１２が設けられている。下枠部１２は、スリット１４の位置に、接合部１２１が設けられている。接合部１２１の下端縁には、嵌合溝１２２が設けられている。
【００１５】
テンプル２は、メガネフレーム本体１に接続される端部に設けられた２つの第１の挟持片２１と、２つの第１の挟持片２１の間に設けられた第２の挟持片２２とを有する。２つの第１の挟持片２１の末端には、屈曲部２１１が曲成されている。屈曲部２１１の第１の挟持片２１に接続されていない端部には、メガネフレーム本体１の接合部１１１に設けられた嵌合溝１１２と、メガネフレーム本体１の接合部１２１に設けられた嵌合溝１２２とに係止される係止部２１２が設けられている。
【００１６】
軟質カバー３はゴム材料からなり、前端に設けられた槽部３１を有する。槽部３１には、メガネフレーム本体１の上枠部１１に設けられた接合部１１１と、メガネフレーム本体１の下枠部１２に設けられた接合部１２１とが挿入される。接合部１１１，１２１が槽部３１の槽底まで挿入されると、軟質カバー３の前縁は、接合部１１１の嵌合溝１１２と、接合部１２１の嵌合溝１２２との部分に位置する。軟質カバー３の外側面の中間には、テンプル２の第２の挟持片２２が当接される凹部３２が設けられている。
【００１７】
図１を参照する。図１に示すように、本考案の一実施形態に係るメガネフレーム構造を実際に使用する際、まず、メガネフレーム本体１をスリット１４の部分で開き、レンズ組立孔１３内にレンズを取り付ける。次に、メガネフレーム本体１の上枠部１１に設けられた接合部１１１と、メガネフレーム本体１の下枠部１２に設けられた接合部１２１とを合わせてレンズ組立孔１３を閉鎖し、レンズ組立孔１３内にレンズを固定させる。軟質カバー３の槽部３１に、メガネフレーム本体１の接合部１１１，１２１を挿入させる。接合部１１１，１２１が軟質カバー３の槽部３１の槽底まで挿入されると、軟質カバー３の前縁は、メガネフレーム本体１の接合部１１１に設けられた嵌合溝１１２と、メガネフレーム本体１の接合部１２１に設けられた嵌合溝１２２との部分に位置する。
【００１８】
図３及び図４を参照する。図３及び図４に示すように、軟質カバー３の内側面に、テンプル２の２つの第１の挟持片２１を当接させる。メガネフレーム本体１の接合部１１１に設けられた嵌合溝１１２と、メガネフレーム本体１の接合部１２１に設けられた嵌合溝１２２とに、２つの第１の挟持片２１の屈曲部２１１を嵌設させる。メガネフレーム本体１の接合部１１１に設けられた嵌合溝１１２と、メガネフレーム本体１の接合部１２１に設けられた嵌合溝１２２との溝縁に、２つの第１の挟持片２１の屈曲部２１１の前縁に設けられた係止部２１２を係止させる。軟質カバー３の外側面に設けられた凹部３２に、テンプル２の第２の挟持片２２を当接させる。このように、テンプル２は、軟質カバー３の内側面に当接される第１の挟持片２１と、軟質カバー３の外側面に当接される第２の挟持片２２とにより、メガネフレーム本体１及び軟質カバー３を挟持する。
【００１９】
図５及び図６を参照する。図５及び図６に示すように、本考案の一実施形態に係るメガネフレーム構造のテンプル２を開閉する際、メガネフレーム本体１の接合部１１１に設けられた嵌合溝１１２と、メガネフレーム本体１の接合部１２１に設けられた嵌合溝１２２とに嵌設されたテンプル２の２つの第１の挟持片２１に設けられた屈曲部２１１及び係止部２１２は、嵌合溝１１２，１２２の部分に位置する軟質カバー３の前縁に当接される。
このように、屈曲部２１１及び係止部２１２が軟質の軟質カバー３に当接されることにより、硬質のメガネフレーム本体１の嵌合溝１１２，１２２の溝壁に直接当接されて摩擦が生じ、耳障りな音を発したり塗装が剥がれたりすることを防ぐ。また、テンプル２を開閉する際、軟質カバー３の外側面に当接された第２の挟持片２２が軟質カバー３の凹部３２上で摺動するため、軟質の軟質カバー３により、摺動する際に耳障りな音を発したり、摩擦により第２の挟持片２２上の塗装が剥がれたりすることを防ぐことができる。
【００２０】
本実施形態は、メガネフレーム本体１とテンプル２との間に軟質の軟質カバー３が配置されている。これにより、テンプル２を開閉する際、テンプル２が軟質の軟質カバー３上で摺動して耳障りな音を発したり塗装が剥がれたりすることを防ぐことができる。そのため、メガネフレームの見ためを損なわずに、市場占有率及び市場競争力を高めることができる。
【００２１】
上述したことから分かるように、本考案のメガネフレーム構造は、以下（１）〜（３）の長所を有する。
（１）メガネフレーム本体とテンプルとの間に配置された軟質カバーをクッションとして用いることにより、テンプルを開閉する際、テンプルとメガネフレーム本体との間に摩擦が生じて耳障りな音が発することを防ぐ。
（２）メガネフレーム本体とテンプルとの間に配置された軟質カバーにより、テンプルを開閉する際、テンプルがメガネフレーム本体と直接摩擦しないため、塗装が剥がれることを防ぐ。
（３）メガネフレーム本体とテンプルとの間に配置された軟質カバーにより、テンプルを開閉する際、耳障りな音を発したり塗装が剥がれたりすることを防ぎ、使用性を向上させ、市場占有率及び市場競争力を高める。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１      メガネフレーム本体
２      テンプル
３      軟質カバー
１１    上枠部
１２    下枠部
１３    レンズ組立孔
１４    スリット
２１    第１の挟持片
２２    第２の挟持片
３１    槽部
３２    凹部
１１１  接合部
１１２  嵌合溝
１２１  接合部
１２２  嵌合溝
２１１  屈曲部
２１２  係止部
【図１】
0003175921.tif 000003
【図２】
0003175921.tif 000004
【図３】
0003175921.tif 000005
【図４】
0003175921.tif 000006
【図５】
0003175921.tif 000007
【図６】
0003175921.tif 000008